(57)【要約】【課題】温度環境によって生じる静電容量の測定値の変動を抑制する技術を提供する。【解決手段】例示的実施形態に係る測定器は、複数の温度のそれぞれにおいて複数の位相調整回路のそれぞれのアドミタンスを調整するためのパラメータを記憶しており、温度センサによって検出された温度に応じたパラメータを用いてアドミタンスを調整する。【選択図】図１１
2020190539.tif 000002
【特許請求の範囲】
【請求項１】
円盤状のベース基板と、
前記ベース基板に設けられた複数のセンサ電極と、
前記ベース基板に設けられた温度センサと、
前記複数のセンサ電極に高周波信号を与えるように設けられた高周波発振器と、
前記複数のセンサ電極がそれぞれ形成する複数の静電容量にそれぞれ応じた複数の電圧信号を生成する複数のＣ／Ｖ変換回路と、
前記複数のＣ／Ｖ変換回路からそれぞれ出力される前記複数の電圧信号を複数のデジタル値にそれぞれ変換するＡ／Ｄ変換器と、
前記Ａ／Ｄ変換器から出力される前記複数のデジタル値に基づいて、前記複数のセンサ電極がそれぞれ形成する前記複数の静電容量を表す複数の測定値を算出する演算装置と、
前記複数のセンサ電極と前記高周波発振器との間に接続された複数の位相調整回路と、を備え、
前記複数のＣ／Ｖ変換回路の各々は、オペアンプを含む増幅回路を有し、
前記高周波発振器は、前記高周波信号を前記オペアンプの非反転入力端子に入力するように前記非反転入力端子に接続されており、前記複数の位相調整回路のうち対応の位相調整回路を介して前記オペアンプの反転入力端子に接続されており、
前記演算装置は、複数の温度のそれぞれにおいて前記複数のＣ／Ｖ変換回路の出力電圧信号の基準点調整のために、該複数の温度にそれぞれ対応付けて前記複数の位相調整回路のアドミタンスを設定する複数のパラメータを記憶しており、前記複数のパラメータのうち前記温度センサによって検出された温度に対応付けられたパラメータを用いて、前記複数の位相調整回路のアドミタンスを調整する、
測定器。
【請求項２】
前記基準点調整はゼロ点調整である、請求項１に記載の測定器。
【請求項３】
前記演算装置は、
前記複数のデジタル値から複数の関数をそれぞれ用いて算出する前記複数の測定値の温度依存性を抑制するために、複数の温度にそれぞれ対応付けられた複数の定数を各々が含む複数の定数群を記憶しており、
前記温度センサによって検出された温度に応じて前記複数の定数群からそれぞれ取得される複数の定数を前記複数の関数においてそれぞれ用いて、前記複数の測定値を算出する、
請求項１又は２に記載の測定器。
【請求項４】
測定器と対象物との間の静電容量を測定する方法であって、
前記測定器は、
円盤状のベース基板と、
前記ベース基板に設けられた複数のセンサ電極と、
前記ベース基板に設けられた温度センサと、
前記複数のセンサ電極に高周波信号を与えるように設けられた高周波発振器と、
前記複数のセンサ電極がそれぞれ形成する複数の静電容量にそれぞれ応じた複数の電圧信号を生成する複数のＣ／Ｖ変換回路と、
前記複数のＣ／Ｖ変換回路からそれぞれ出力される前記複数の電圧信号を複数のデジタル値にそれぞれ変換するＡ／Ｄ変換器と、
前記Ａ／Ｄ変換器から出力される前記複数のデジタル値に基づいて、前記複数のセンサ電極がそれぞれ形成する前記複数の静電容量を表す複数の測定値を算出する演算装置と、
前記複数のセンサ電極と前記高周波発振器との間に接続された複数の位相調整回路と、を備え、
前記複数のＣ／Ｖ変換回路の各々は、オペアンプを含む増幅回路を有し、
前記高周波発振器は、前記高周波信号を前記オペアンプの非反転入力端子に入力するように前記非反転入力端子に接続されており、前記複数の位相調整回路のうち対応の位相調整回路を介して前記オペアンプの反転入力端子に接続されており、
該方法は、
複数の温度にそれぞれ対応付けて前記複数の位相調整回路のアドミタンスを設定するために予め記憶している複数のパラメータの中から、前記温度センサによって検出された温度に対応付けられたパラメータを用いて、前記複数の位相調整回路のアドミタンスを調整する工程と、
前記アドミタンスが調整された状態で、前記複数のＣ／Ｖ変換回路が前記複数の電圧信号を生成する工程と、
前記Ａ／Ｄ変換器が前記複数のＣ／Ｖ変換回路からそれぞれ出力される前記複数の電圧信号を前記複数のデジタル値にそれぞれ変換する工程と、
前記複数のデジタル値に基づいて、前記複数の測定値を算出する工程と、を含む、方法。
【請求項５】
前記複数のセンサは、前記ベース基板のエッジに設けられており、
前記対象物は、前記ベース基板を囲むフォーカスリングである、請求項４に記載の方法。
【請求項６】
前記複数のセンサは、前記ベース基板の底面に設けられており、
前記対象物は、前記ベース基板が載置される静電チャックである、請求項４に記載の方法。
【請求項７】
前記調整する工程、前記生成する工程及び前記変換する工程は、真空除湿環境下で実行される、請求項４〜６のいずれか一項に記載の方法。
【請求項８】
前記調整する工程の前に、前記測定器を除湿環境下で保管する工程を含む、請求項７に記載の方法。
【請求項９】
前記保管する工程の後に、前記除湿環境を保持したまま前記測定器を前記真空除湿環境下に移行し、前記調整する工程を実行する、請求項８に記載の方法。
【請求項１０】
前記保管する工程では、前記調整する工程が開始される直前まで、前記測定器が前記除湿環境下で保管されている、請求項８に記載の方法。
【発明の詳細な説明】
【技術分野】
【０００１】
本開示の例示的実施形態は、測定器及び測定方法に関する。
【背景技術】
【０００２】
特許文献１には、静電容量測定用の測定器が記載されている。この測定器は、ベース基板、第１センサ、第２センサ、及び、回路基板を備えている。第１センサは、ベース基板のエッジに沿って設けられた第１電極を有する。第２センサは、ベース基板上に固定された第２電極を有する。回路基板は、ベース基板上に搭載されており、第１センサ及び第２センサに接続されている。回路基板は、第１電極及び第２電極に高周波信号を与え、第１電極における電圧振幅から静電容量に応じた第１の測定値を取得し、第２電極における電圧振幅から静電容量に応じた第２の測定値を取得する。測定器は、基準面を有する。基準面は、当該測定器内で固定されており、且つ、第２電極に対面する。
【先行技術文献】
【特許文献】
【０００３】
【特許文献１】特開２０１８−１６９１９８号公報
【発明の概要】
【発明が解決しようとする課題】
【０００４】
本開示は、温度環境によって生じる静電容量の測定値の変動を抑制する技術を提供する。
【課題を解決するための手段】
【０００５】
一つの例示的実施形態においては、静電容量測定用の測定器が提供される。測定器は、ベース基板と、複数のセンサ電極と、温度センサと、高周波発振器と、複数のＣ／Ｖ変換回路と、Ａ／Ｄ変換器と、演算装置と、複数の位相調整回路と、を備える。ベース基板は円盤状をなしている。複数のセンサ電極はベース基板に設けられている。温度センサはベース基板に設けられている。高周波発振器は、複数のセンサ電極に高周波信号を与えるように設けられている。複数のＣ／Ｖ変換回路は、複数のセンサ電極がそれぞれ形成する複数の静電容量にそれぞれ応じた複数の電圧信号を生成する。Ａ／Ｄ変換器は、複数のＣ／Ｖ変換回路からそれぞれ出力される複数の電圧信号を複数のデジタル値にそれぞれ変換する。演算装置Ａ／Ｄ変換器から出力される複数のデジタル値に基づいて、複数のセンサ電極がそれぞれ形成する複数の静電容量を表す複数の測定値を算出する。複数の位相調整回路は、複数のセンサ電極と高周波発振器との間に接続されている。複数のＣ／Ｖ変換回路の各々は、オペアンプを含む増幅回路を有する。高周波発振器は、高周波信号をオペアンプの非反転入力端子に入力するように非反転入力端子に接続されており、複数の位相調整回路のうち対応の位相調整回路を介してオペアンプの反転入力端子に接続されている。演算装置は、複数の温度のそれぞれにおいて複数のＣ／Ｖ変換回路の出力電圧信号の基準点調整のために、該複数の温度にそれぞれ対応付けて前記複数の位相調整回路のアドミタンスを設定する複数のパラメータを記憶している。演算装置は、複数のパラメータのうち温度センサによって検出された温度に対応付けられたパラメータを用いて、複数の位相調整回路のアドミタンスを調整する。
【発明の効果】
【０００６】
一つの例示的実施形態に係る測定器によれば、温度環境によって生じる静電容量の測定値の変動を抑制することができる。
【図面の簡単な説明】
【０００７】
【図１】処理システムを例示する図である。
【図２】アライナを例示する斜視図である。
【図３】プラズマ処理装置の一例を示す図である。
【図４】一例の測定器を上面側から見て示す平面図である。
【図５】一例の測定器を底面側から見て示す平面図である。
【図６】第１センサの一例を示す斜視図である。
【図７】図６のＶＩＩ−ＶＩＩ線に沿ってとった断面図である。
【図８】図５の第２センサの拡大図である。
【図９】測定器の回路基板の構成を例示する図である。
【図１０】測定器の回路基板の構成の詳細を例示する図である。
【図１１】測定器の動作方法の一例を示すフローチャートである。
【図１２】処理システムを例示する図である。
【図１３】測定器によって静電容量が測定される際の手順の一例を示すフローチャートである。
【発明を実施するための形態】
【０００８】
以下、種々の例示的実施形態について説明する。
【０００９】
一つの例示的実施形態においては、静電容量測定用の測定器が提供される。測定器は、ベース基板と、複数のセンサ電極と、温度センサと、高周波発振器と、複数のＣ／Ｖ変換回路と、Ａ／Ｄ変換器と、演算装置と、複数の位相調整回路と、を備える。ベース基板は円盤状をなしている。複数のセンサ電極はベース基板に設けられている。温度センサはベース基板に設けられている。高周波発振器は、複数のセンサ電極に高周波信号を与えるように設けられている。複数のＣ／Ｖ変換回路は、複数のセンサ電極がそれぞれ形成する複数の静電容量にそれぞれ応じた複数の電圧信号を生成する。Ａ／Ｄ変換器は、複数のＣ／Ｖ変換回路からそれぞれ出力される複数の電圧信号を複数のデジタル値にそれぞれ変換する。演算装置Ａ／Ｄ変換器から出力される複数のデジタル値に基づいて、複数のセンサ電極がそれぞれ形成する複数の静電容量を表す複数の測定値を算出する。複数の位相調整回路は、複数のセンサ電極と高周波発振器との間に接続されている。複数のＣ／Ｖ変換回路の各々は、オペアンプを含む増幅回路を有する。高周波発振器は、高周波信号をオペアンプの非反転入力端子に入力するように非反転入力端子に接続されており、複数の位相調整回路のうち対応の位相調整回路を介してオペアンプの反転入力端子に接続されている。演算装置は、複数の温度のそれぞれにおいて複数のＣ／Ｖ変換回路の出力電圧信号の基準点調整のために、該複数の温度にそれぞれ対応付けて前記複数の位相調整回路のアドミタンスを設定する複数のパラメータを記憶している。演算装置は、複数のパラメータのうち温度センサによって検出された温度に対応付けられたパラメータを用いて、複数の位相調整回路のアドミタンスを調整する。
【００１０】
上記実施形態の測定器では、高周波発振器が、高周波信号をオペアンプの非反転入力端子に入力するように非反転入力端子に接続されており、且つ、位相調整回路を介してオペアンプの反転入力端子に接続されている。そのため、位相調整回路のアドミタンスが調整されることによって、複数のＣ／Ｖ変換回路から出力される電圧信号の大きさが調整され得る。複数のＣ／Ｖ変換回路から出力される電圧信号の大きさは、周囲の温度によって変動し得る。演算装置が温度センサによって検出された温度に応じたパラメータを用いてアドミタンスを調整するため、温度による電圧信号の大きさの変動が抑制され得る。また、演算装置は、複数の位相調整回路のそれぞれに対応するパラメータを記憶しているので、複数のセンサ電極間の個体差による複数の電圧信号間のばらつきを抑制することができる。
【００１１】
一つの例示的実施形態において、基準点調整はゼロ点調整であってよい。ゼロ点調整は、測定器による検出対象が存在しない状態で行われる。そのため、基準点調整を実行する際の測定器のセッティングが容易である。
【００１２】
一つの例示的実施形態において、演算装置は、複数のデジタル値から複数の関数をそれぞれ用いて算出する複数の測定値の温度依存性を抑制するために、複数の温度にそれぞれ対応付けられた複数の定数を各々が含む複数の定数群を記憶していてよい。演算装置は、温度センサによって検出された温度に応じて複数の定数群からそれぞれ取得される複数の定数を複数の関数においてそれぞれ用いて、複数の測定値を算出し得る。デジタル値に基づいてセンサ電極の静電容量を表す測定値を算出するための関数の定数は、測定器の回路の温度状態によって変動し得る。温度センサによって検出された温度に応じた定数を演算装置が用いるため、温度による測定値の大きさの変動が抑制され得る。
【００１３】
別の例示的実施形態において、測定器と対象物との間の静電容量を測定する方法が提供される。該方法は、複数のパラメータの中から、温度センサによって検出された温度に対応付けられたパラメータを用いて、複数の位相調整回路のアドミタンスを調整する工程を含む。複数のパラメータは、複数の温度にそれぞれ対応付けて複数の位相調整回路のアドミタンスを設定するために予め記憶されている。該方法は、アドミタンスが調整された状態で、複数のＣ／Ｖ変換回路が複数の電圧信号を生成する工程を含む。該方法は、Ａ／Ｄ変換器が複数のＣ／Ｖ変換回路からそれぞれ出力される複数の電圧信号を複数のデジタル値にそれぞれ変換する工程を含む。該方法は、複数のデジタル値に基づいて、複数の測定値を算出する工程を含む。
【００１４】
一つの例示的実施形態において、複数のセンサは、ベース基板のエッジに設けられている。対象物は、ベース基板を囲むフォーカスリングである。この構成では、フォーカスリングと測定器との相対的な位置が導出され得る。
【００１５】
一つの例示的実施形態において、複数のセンサは、ベース基板の底面に設けられている。対象物は、ベース基板が載置される静電チャックである。この構成では、静電チャックと測定器との相対的な位置が導出され得る。
【００１６】
以下、図面を参照して種々の実施形態について詳細に説明する。なお、各図面において同一又は相当の部分に対しては同一の符号を附すこととする。
【００１７】
一つの例示的実施形態に係る測定器は、搬送システムＳ１としての機能を有する処理システム１によって搬送され得る。まず、被加工物を処理するための処理装置、及び、当該処理装置に被処理体を搬送するための搬送装置を有する処理システムについて説明する。図１は、処理システムを例示する図である。処理システム１は、台２ａ〜２ｄ、容器４ａ〜４ｄ、ローダモジュールＬＭ、アライナＡＮ、ロードロックモジュールＬＬ１，ＬＬ２、プロセスモジュールＰＭ１〜ＰＭ６、トランスファーモジュールＴＦ、及び、制御部ＭＣを備えている。なお、台２ａ〜２ｄの個数、容器４ａ〜４ｄの個数、ロードロックモジュールＬＬ１，ＬＬ２の個数、及び、プロセスモジュールＰＭ１〜ＰＭ６の個数は限定されるものではなく、一以上の任意の個数であり得る。
【００１８】
台２ａ〜２ｄは、ローダモジュールＬＭの一縁に沿って配列されている。容器４ａ〜４ｄはそれぞれ、台２ａ〜２ｄ上に搭載されている。容器４ａ〜４ｄの各々は、例えば、ＦＯＵＰ（Ｆｒｏｎｔ  Ｏｐｅｎｉｎｇ  Ｕｎｉｆｉｅｄ  Ｐｏｄ）と称される容器である。容器４ａ〜４ｄのそれぞれは、被加工物Ｗを収容するように構成され得る。被加工物Ｗは、ウエハのように略円盤形状を有する。
【００１９】
ローダモジュールＬＭは、大気圧状態の搬送空間をその内部に画成するチャンバ壁を有している。この搬送空間内には搬送装置ＴＵ１が設けられている。搬送装置ＴＵ１は、例えば、多関節ロボットであり、制御部ＭＣによって制御される。搬送装置ＴＵ１は、容器４ａ〜４ｄとアライナＡＮとの間、アライナＡＮとロードロックモジュールＬＬ１〜ＬＬ２の間、ロードロックモジュールＬＬ１〜ＬＬ２と容器４ａ〜４ｄの間で被加工物Ｗを搬送するように構成されている。
【００２０】
アライナＡＮは、ローダモジュールＬＭと接続されている。アライナＡＮは、被加工物Ｗの位置の調整（位置の較正）を行うように構成されている。図２は、アライナを例示する斜視図である。アライナＡＮは、支持台６Ｔ、駆動装置６Ｄ、及び、センサ６Ｓを有している。支持台６Ｔは、鉛直方向に延びる軸線中心に回転可能な台であり、その上に被加工物Ｗを支持するように構成されている。支持台６Ｔは、駆動装置６Ｄによって回転される。駆動装置６Ｄは、制御部ＭＣによって制御される。駆動装置６Ｄからの動力により支持台６Ｔが回転すると、当該支持台６Ｔ上に載置された被加工物Ｗも回転するようになっている。
【００２１】
センサ６Ｓは、光学センサであり、被加工物Ｗが回転されている間、被加工物Ｗのエッジを検出する。センサ６Ｓは、エッジの検出結果から、基準角度位置に対する被加工物ＷのノッチＷＮ（或いは、別のマーカー）の角度位置のずれ量、及び、基準位置に対する被加工物Ｗの中心位置のずれ量を検出する。センサ６Ｓは、ノッチＷＮの角度位置のずれ量及び被加工物Ｗの中心位置のずれ量を制御部ＭＣに出力する。制御部ＭＣは、ノッチＷＮの角度位置のずれ量に基づき、ノッチＷＮの角度位置を基準角度位置に補正するための支持台６Ｔの回転量を算出する。制御部ＭＣは、この回転量の分だけ支持台６Ｔを回転させるよう、駆動装置６Ｄを制御する。これにより、ノッチＷＮの角度位置を基準角度位置に補正することができる。また、制御部ＭＣは、アライナＡＮから被加工物Ｗを受け取る際の搬送装置ＴＵ１のエンドエフェクタ（ｅｎｄ  ｅｆｆｅｃｔｏｒ）の位置を、被加工物Ｗの中心位置のずれ量に基づき、制御する。これにより、搬送装置ＴＵ１のエンドエフェクタ上の所定位置に被加工物Ｗの中心位置が一致する。
【００２２】
図１に戻り、ロードロックモジュールＬＬ１及びロードロックモジュールＬＬ２の各々は、ローダモジュールＬＭとトランスファーモジュールＴＦとの間に設けられている。ロードロックモジュールＬＬ１及びロードロックモジュールＬＬ２の各々は、予備減圧室を提供している。
【００２３】
トランスファーモジュールＴＦは、ロードロックモジュールＬＬ１及びロードロックモジュールＬＬ２にゲートバルブを介して気密に接続されている。トランスファーモジュールＴＦは、減圧可能な減圧室を提供している。この減圧室には、搬送装置ＴＵ２が設けられている。搬送装置ＴＵ２は、例えば、搬送アームＴＵａを有する多関節ロボットであり、制御部ＭＣによって制御される。搬送装置ＴＵ２は、ロードロックモジュールＬＬ１〜ＬＬ２とプロセスモジュールＰＭ１〜ＰＭ６との間、及び、プロセスモジュールＰＭ１〜ＰＭ６のうち任意の二つのプロセスモジュール間において、被加工物Ｗを搬送するように構成されている。
【００２４】
プロセスモジュールＰＭ１〜ＰＭ６は、トランスファーモジュールＴＦにゲートバルブを介して気密に接続されている。プロセスモジュールＰＭ１〜ＰＭ６の各々は、被加工物Ｗに対してプラズマ処理といった専用の処理を行うよう構成された処理装置である。
【００２５】
この処理システム１において被加工物Ｗの処理が行われる際の一連の動作は以下の通り例示される。ローダモジュールＬＭの搬送装置ＴＵ１が、容器４ａ〜４ｄの何れかから被加工物Ｗを取り出し、当該被加工物ＷをアライナＡＮに搬送する。次いで、搬送装置ＴＵ１は、その位置が調整された被加工物ＷをアライナＡＮから取り出して、当該被加工物ＷをロードロックモジュールＬＬ１及びロードロックモジュールＬＬ２のうち一方のロードロックモジュールに搬送する。次いで、一方のロードロックモジュールが、予備減圧室の圧力を所定の圧力に減圧する。次いで、トランスファーモジュールＴＦの搬送装置ＴＵ２が、一方のロードロックモジュールから被加工物Ｗを取り出し、当該被加工物ＷをプロセスモジュールＰＭ１〜ＰＭ６のうち何れかに搬送する。そして、プロセスモジュールＰＭ１〜ＰＭ６のうち一以上のプロセスモジュールが被加工物Ｗを処理する。そして、搬送装置ＴＵ２が、処理後の被加工物ＷをプロセスモジュールからロードロックモジュールＬＬ１及びロードロックモジュールＬＬ２のうち一方のロードロックモジュールに搬送する。次いで、搬送装置ＴＵ１が被加工物Ｗを一方のロードロックモジュールから容器４ａ〜４ｄの何れかに搬送する。
【００２６】
この処理システム１は、上述したように制御部ＭＣを備えている。制御部ＭＣは、プロセッサ、メモリといった記憶装置、表示装置、入出力装置、通信装置等を備えるコンピュータであり得る。上述した処理システム１の一連の動作は、記憶装置に記憶されたプログラムに従った制御部ＭＣによる処理システム１の各部の制御により、実現されるようになっている。
【００２７】
図３は、プロセスモジュールＰＭ１〜ＰＭ６の何れかとして採用され得るプラズマ処理装置の一例を示す図である。図３に示すプラズマ処理装置１０は、容量結合型プラズマエッチング装置である。プラズマ処理装置１０は、略円筒形状のチャンバ本体１２を備えている。チャンバ本体１２は、例えば、アルミニウムから形成されており、その内壁面には、陽極酸化処理が施され得る。このチャンバ本体１２は保安接地されている。
【００２８】
チャンバ本体１２の底部上には、略円筒形状の支持部１４が設けられている。支持部１４は、例えば、絶縁材料から構成されている。支持部１４は、チャンバ本体１２内に設けられており、チャンバ本体１２の底部から上方に延在している。また、チャンバ本体１２によって提供されるチャンバＳ内には、ステージＳＴが設けられている。ステージＳＴは、支持部１４によって支持されている。
【００２９】
ステージＳＴは、下部電極ＬＥ及び静電チャックＥＳＣを有している。下部電極ＬＥは、第１プレート１８ａ及び第２プレート１８ｂを含んでいる。第１プレート１８ａ及び第２プレート１８ｂは、例えばアルミニウムといった金属から構成されており、略円盤形状をなしている。第２プレート１８ｂは、第１プレート１８ａ上に設けられており、第１プレート１８ａに電気的に接続されている。
【００３０】
第２プレート１８ｂ上には、静電チャックＥＳＣが設けられている。静電チャックＥＳＣは、導電膜である電極を一対の絶縁層又は絶縁シート間に配置した構造を有しており、略円盤形状を有している。静電チャックＥＳＣの電極には、直流電源２２がスイッチ２３を介して電気的に接続されている。この静電チャックＥＳＣは、直流電源２２からの直流電圧により生じたクーロン力等の静電力により被加工物Ｗを吸着する。これにより、静電チャックＥＳＣは、被加工物Ｗを保持することができる。
【００３１】
第２プレート１８ｂの周縁部上には、フォーカスリングＦＲが設けられている。このフォーカスリングＦＲは、被加工物Ｗのエッジ及び静電チャックＥＳＣを囲むように設けられている。フォーカスリングＦＲは、第１部分Ｐ１及び第２部分Ｐ２を有している（図７参照）。第１部分Ｐ１及び第２部分Ｐ２は環状板形状を有している。第２部分Ｐ２は、第１部分Ｐ１よりも外側の部分である。第２部分Ｐ２は、第１部分Ｐ１よりも高さ方向に大きな厚みを有している。第２部分Ｐ２の内縁Ｐ２ｉは第１部分Ｐ１の内縁Ｐ１ｉの直径よりも大きい直径を有している。被加工物Ｗは、そのエッジ領域が、フォーカスリングＦＲの第１部分Ｐ１上に位置するように、静電チャックＥＳＣ上に載置される。このフォーカスリングＦＲは、シリコン、炭化ケイ素、酸化シリコンといった種々の材料のうち何れかから形成され得る。
【００３２】
第２プレート１８ｂの内部には、冷媒流路２４が設けられている。冷媒流路２４は、温調機構を構成している。冷媒流路２４には、チャンバ本体１２の外部に設けられたチラーユニットから配管２６ａを介して冷媒が供給される。冷媒流路２４に供給された冷媒は、配管２６ｂを介してチラーユニットに戻される。このように、冷媒流路２４とチラーユニットとの間では、冷媒が循環される。この冷媒の温度を制御することにより、静電チャックＥＳＣによって支持された被加工物Ｗの温度が制御される。
【００３３】
ステージＳＴには、当該ステージＳＴを貫通する複数（例えば、三つ）の貫通孔２５が形成されている。複数の貫通孔２５は、平面視において静電チャックＥＳＣの内側に形成されている。これら、それぞれの貫通孔２５には、リフトピン２５ａが挿入されている。なお、図３においては、一本のリフトピン２５ａが挿入された一つの貫通孔２５が描かれている。リフトピン２５ａは、貫通孔２５内において上下動可能に設けられている。リフトピン２５ａの上昇によって、静電チャックＥＳＣ上に支持された被加工物Ｗが上昇する。
【００３４】
ステージＳＴには、平面視において静電チャックＥＳＣよりも外側の位置に、当該ステージＳＴ（下部電極ＬＥ）を貫通する複数（例えば、三つ）の貫通孔２７が形成されている。これら、それぞれの貫通孔２７には、リフトピン２７ａが挿入されている。なお、図３においては、一本のリフトピン２７ａが挿入された一つの貫通孔２７が描かれている。リフトピン２７ａは、貫通孔２７内において上下動可能に設けられている。リフトピン２７ａの上昇によって、第２プレート１８ｂ上に支持されたフォーカスリングＦＲが上昇する。
【００３５】
また、プラズマ処理装置１０には、ガス供給ライン２８が設けられている。ガス供給ライン２８は、伝熱ガス供給機構からの伝熱ガス、例えばＨｅガスを、静電チャックＥＳＣの上面と被加工物Ｗの裏面との間に供給する。
【００３６】
また、プラズマ処理装置１０は、上部電極３０を備えている。上部電極３０は、ステージＳＴの上方において、当該ステージＳＴと対向配置されている。上部電極３０は、絶縁性遮蔽部材３２を介して、チャンバ本体１２の上部に支持されている。上部電極３０は、天板３４及び支持体３６を含み得る。天板３４はチャンバＳに面しており、当該天板３４には複数のガス吐出孔３４ａが設けられている。この天板３４は、シリコン又は石英から形成され得る。或いは、天板３４は、アルミニウム製の母材の表面に酸化イットリウムといった耐プラズマ性の膜を形成することによって構成され得る。
【００３７】
支持体３６は、天板３４を着脱自在に支持するものであり、例えばアルミニウムといった導電性材料から構成され得る。この支持体３６は、水冷構造を有し得る。支持体３６の内部には、ガス拡散室３６ａが設けられている。このガス拡散室３６ａからは、ガス吐出孔３４ａに連通する複数のガス通流孔３６ｂが下方に延びている。また、支持体３６には、ガス拡散室３６ａに処理ガスを導くガス導入口３６ｃが形成されており、このガス導入口３６ｃには、ガス供給管３８が接続されている。
【００３８】
ガス供給管３８には、バルブ群４２及び流量制御器群４４を介して、ガスソース群４０が接続されている。ガスソース群４０は、複数種のガス用の複数のガスソースを含んでいる。バルブ群４２は複数のバルブを含んでおり、流量制御器群４４はマスフローコントローラといった複数の流量制御器を含んでいる。ガスソース群４０の複数のガスソースはそれぞれ、バルブ群４２の対応のバルブ及び流量制御器群４４の対応の流量制御器を介して、ガス供給管３８に接続されている。
【００３９】
また、プラズマ処理装置１０では、チャンバ本体１２の内壁に沿ってデポシールド４６が着脱自在に設けられている。デポシールド４６は、支持部１４の外周にも設けられている。デポシールド４６は、チャンバ本体１２にエッチング副生物（デポ）が付着することを防止するものであり、アルミニウム材に酸化イットリウム等のセラミックスを被覆することにより構成され得る。
【００４０】
チャンバ本体１２の底部側、且つ、支持部１４とチャンバ本体１２の側壁との間には排気プレート４８が設けられている。排気プレート４８は、例えば、アルミニウム材に酸化イットリウム等のセラミックスを被覆することにより構成され得る。排気プレート４８には、その板厚方向に貫通する複数の孔が形成されている。この排気プレート４８の下方、且つ、チャンバ本体１２には、排気口１２ｅが設けられている。排気口１２ｅには、排気管５２を介して排気装置５０が接続されている。排気装置５０は、圧力調整弁及びターボ分子ポンプなどの真空ポンプを有しており、チャンバ本体１２内の空間を所望の真空度まで減圧することができる。また、チャンバ本体１２の側壁には被加工物Ｗの搬入出口１２ｇが設けられており、この搬入出口１２ｇはゲートバルブ５４により開閉可能となっている。
【００４１】
また、プラズマ処理装置１０は、第１の高周波電源６２及び第２の高周波電源６４を更に備えている。第１の高周波電源６２は、プラズマ生成用の第１の高周波を発生する電源であり、例えば、２７〜１００ＭＨｚの周波数を有する高周波を発生する。第１の高周波電源６２は、整合器６６を介して上部電極３０に接続されている。整合器６６は、第１の高周波電源６２の出力インピーダンスと負荷側（上部電極３０側）の入力インピーダンスを整合させるための回路を有している。なお、第１の高周波電源６２は、整合器６６を介して下部電極ＬＥに接続されていてもよい。
【００４２】
第２の高周波電源６４は、被加工物Ｗにイオンを引き込むための第２の高周波を発生する電源であり、例えば、４００ｋＨｚ〜１３．５６ＭＨｚの範囲内の周波数の高周波を発生する。第２の高周波電源６４は、整合器６８を介して下部電極ＬＥに接続されている。整合器６８は、第２の高周波電源６４の出力インピーダンスと負荷側（下部電極ＬＥ側）の入力インピーダンスを整合させるための回路を有している。
【００４３】
このプラズマ処理装置１０では、複数のガスソースのうち選択された一以上のガスソースからのガスがチャンバＳに供給される。また、チャンバＳの圧力が排気装置５０によって所定の圧力に設定される。さらに、第１の高周波電源６２からの第１の高周波によってチャンバＳ内のガスが励起される。これにより、プラズマが生成される。そして、発生した活性種によって被加工物Ｗが処理される。なお、必要に応じて、第２の高周波電源６４の第２の高周波に基づくバイアスにより、被加工物Ｗにイオンが引き込まれてもよい。
【００４４】
以下、測定器について説明する。図４は、測定器を上面側から見て示す平面図である。図５は、測定器を底面側から見て示す平面図である。図４及び図５に示す測定器１００は、ベース基板１０２を備えている。ベース基板１０２は、例えば、シリコンから形成されており、被加工物Ｗの形状と同様の形状、即ち略円盤形状を有している。ベース基板１０２の直径は、被加工物Ｗの直径と同様の直径であり、例えば、３００ｍｍである。測定器１００の形状及び寸法は、このベース基板１０２の形状及び寸法によって規定される。したがって、測定器１００は、被加工物Ｗの形状と同様の形状を有し、且つ、被加工物Ｗの寸法と同様の寸法を有する。また、ベース基板１０２のエッジには、ノッチ１０２Ｎ（或いは、別のマーカー）が形成されている。
【００４５】
ベース基板１０２には、静電容量測定用の複数の第１センサ１０４Ａ〜１０４Ｃが設けられている。複数の第１センサ１０４Ａ〜１０４Ｃは、ベース基板１０２のエッジに沿って、例えば当該エッジの全周において、等間隔に配列されている。具体的には、複数の第１センサ１０４Ａ〜１０４Ｃの各々は、ベース基板１０２の上面側のエッジに沿うように設けられている。複数の第１センサ１０４Ａ〜１０４Ｃの各々の前側端面は、ベース基板１０２の側面に沿っている。
【００４６】
また、ベース基板１０２には、静電容量測定用の複数の第２センサ１０５Ａ〜１０５Ｃが設けられている。複数の第２センサ１０５Ａ〜１０５Ｃは、ベース基板１０２のエッジに沿って、例えば当該エッジの全周において、等間隔に配列されている。具体的には、複数の第２センサ１０５Ａ〜１０５Ｃの各々は、ベース基板の底面側のエッジに沿うように設けられている。複数の第２センサ１０５Ａ〜１０５Ｃの各々のセンサ電極１６１は、ベース基板１０２の底面に沿っている。また、第２センサ１０５Ａ〜１０５Ｃと第１センサ１０４Ａ〜１０４Ｃとは、周方向において６０°間隔で交互に配列されている。
【００４７】
ベース基板１０２の上面の中央には、回路基板１０６が設けられている。回路基板１０６と複数の第１センサ１０４Ａ〜１０４Ｃとの間には、互いを電気的に接続するための配線群１０８Ａ〜１０８Ｃが設けられている。また、回路基板１０６と複数の第２センサ１０５Ａ〜１０５Ｃとの間には、互いを電気的に接続するための配線群２０８Ａ〜２０８Ｃが設けられている。回路基板１０６、配線群１０８Ａ〜１０８Ｃ、及び配線群２０８Ａ〜２０８Ｃは、カバー１０３によって覆われている。
【００４８】
以下、第１センサについて詳細に説明する。図６は、センサの一例を示す斜視図である。図７は、図６のＶＩＩ−ＶＩＩ線に沿ってとった断面図である。図６及び図７に示す第１センサ１０４は、測定器１００の複数の第１センサ１０４Ａ〜１０４Ｃとして利用されるセンサであり、一例では、チップ状の部品として構成されている。なお、以下の説明では、ＸＹＺ直交座標系を適宜参照する。Ｘ方向は、第１センサ１０４の前方向を示しており、Ｙ方向は、Ｘ方向に直交する一方向であって第１センサ１０４の幅方向を示しており、Ｚ方向は、Ｘ方向及びＹ方向に直交する方向であって第１センサ１０４の上方向を示している。図７には、第１センサ１０４と共にフォーカスリングＦＲが示されている。
【００４９】
第１センサ１０４は、電極１４１、ガード電極１４２、センサ電極１４３、基板部１４４及び絶縁領域１４７を有している。
【００５０】
基板部１４４は、例えばホウケイ酸ガラスまたは石英から形成されている。基板部１４４は、上面１４４ａ、下面１４４ｂ、及び前側端面１４４ｃを有している。ガード電極１４２は、基板部１４４の下面１４４ｂの下方に設けられており、Ｘ方向及びＹ方向に延在している。また、電極１４１は、絶縁領域１４７を介してガード電極１４２の下方に設けられており、Ｘ方向及びＹ方向に延在している。絶縁領域１４７は、例えば、ＳｉＯ２、ＳｉＮ、Ａｌ２Ｏ３、又は、ポリイミドから形成されている。
【００５１】
基板部１４４の前側端面１４４ｃは、段状に形成されている。前側端面１４４ｃの下側部分１４４ｄは、当該前側端面１４４ｃの上側部分１４４ｕよりもフォーカスリングＦＲの側に向けて突出している。センサ電極１４３は、前側端面１４４ｃの上側部分１４４ｕに沿って延在している。一つの例示的実施形態では、前側端面１４４ｃの上側部分１４４ｕ及び下側部分１４４ｄは、それぞれに所定の曲率をもった曲面となっている。即ち、前側端面１４４ｃの上側部分１４４ｕは、当該上側部分１４４ｕの任意の位置で一定の曲率をしており、当該上側部分１４４ｕの曲率は、測定器１００の中心軸線ＡＸ１００と前側端面１４４ｃの上側部分１４４ｕとの間の距離の逆数である。また、前側端面１４４ｃの下側部分１４４ｄは、当該下側部分１４４ｄの任意の位置で一定の曲率をしており、当該下側部分１４４ｄの曲率は、測定器１００の中心軸線ＡＸ１００と前側端面１４４ｃの下側部分１４４ｄとの間の距離の逆数である。
【００５２】
センサ電極１４３は、前側端面１４４ｃの上側部分１４４ｕに沿って設けられている。一つの例示的実施形態では、このセンサ電極１４３の前面１４３ｆも曲面になっている。即ち、センサ電極１４３の前面１４３ｆは、当該前面１４３ｆの任意の位置で一定の曲率を有しており、当該曲率は、測定器１００の中心軸線ＡＸ１００と前面１４３ｆとの間の距離の逆数である。
【００５３】
この第１センサ１０４を測定器１００のセンサとして用いる場合には、後述のように電極１４１が配線１８１に接続され、ガード電極１４２が配線１８２に接続され、センサ電極１４３が配線１８３に接続される。
【００５４】
第１センサ１０４においては、センサ電極１４３が、電極１４１及びガード電極１４２によって、第１センサ１０４の下方に対して遮蔽されている。したがって、この第１センサ１０４によれば、特定方向、即ち、センサ電極１４３の前面１４３ｆが向いている方向（Ｘ方向）に高い指向性をもって静電容量を測定することが可能となる。
【００５５】
以下、第２センサについて詳細に説明する。図８は、図５の部分拡大図であり、一つの第２センサを示す。第２センサ１０５は、センサ電極１６１を有している。センサ電極１６１のエッジは部分的に円弧形状をなしている。即ち、センサ電極１６１は、中心軸線ＡＸ１００を中心とした異なる半径を有する二つの円弧である内縁１６１ａ及び外縁１６１ｂによって規定される平面形状を有している。複数の第２センサ１０５Ａ〜１０５Ｃそれぞれのセンサ電極１６１における径方向外側の外縁１６１ｂは、共通する円上で延在する。また、複数の第２センサ１０５Ａ〜１０５Ｃそれぞれのセンサ電極１６１における径方向内側の内縁１６１ａは、他の共通する円上で延在する。センサ電極１６１のエッジの一部の曲率は、静電チャックＥＳＣのエッジの曲率に一致している。一つの例示的実施形態では、センサ電極１６１における径方向外側のエッジを形成する外縁１６１ｂの曲率が、静電チャックＥＳＣのエッジの曲率に一致している。なお、外縁１６１ｂの曲率中心、即ち、外縁１６１ｂがその上で延在する円の中心は、中心軸線ＡＸ１００を共有している。
【００５６】
一つの例示的実施形態では、第２センサ１０５は、センサ電極１６１を囲むガード電極１６２を更に含んでいる。ガード電極１６２は、枠状をなしており、センサ電極１６１をその全周にわたって囲んでいる。ガード電極１６２とセンサ電極１６１は、それらの間に絶縁領域１６４が介在するよう、互いに離間している。また、一つの例示的実施形態では、第２センサ１０５は、ガード電極１６２の外側で当該ガード電極１６２を囲む電極１６３を更に含んでいる。電極１６３は、枠状をなしており、ガード電極１６２をその全周にわたって囲んでいる。ガード電極１６２と電極１６３は、それらの間に絶縁領域１６５が介在するよう互いに離間している。
【００５７】
以下、回路基板１０６の構成について説明する。図９は、測定器の回路基板の構成を例示する図である。回路基板１０６は、高周波発振器１７１、複数のＣ／Ｖ変換回路１７２Ａ〜１７２Ｃ、複数のＣ／Ｖ変換回路２７２Ａ〜２７２Ｃ、Ａ／Ｄ変換器１７３、プロセッサ１７４、記憶装置１７５、通信装置１７６、及び、電源１７７を有している。一例においては、プロセッサ１７４、記憶装置１７５等によって演算装置が構成されている。また、回路基板１０６は、温度センサ１７９を有している。温度センサ１７９は、検出した温度に応じた信号をプロセッサ１７４に出力する。例えば、温度センサ１７９は、測定器１００の周囲の環境の温度を取得することができる。
【００５８】
複数の第１センサ１０４Ａ〜１０４Ｃの各々は、複数の配線群１０８Ａ〜１０８Ｃのうち対応の配線群を介して回路基板１０６に接続されている。また、複数の第１センサ１０４Ａ〜１０４Ｃの各々は、対応の配線群に含まれる幾つかの配線を介して、複数のＣ／Ｖ変換回路１７２Ａ〜１７２Ｃのうち対応のＣ／Ｖ変換回路に接続されている。複数の第２センサ１０５Ａ〜１０５Ｃの各々は、複数の配線群２０８Ａ〜２０８Ｃのうち対応の配線群を介して回路基板１０６に接続されている。また、複数の第２センサ１０５Ａ〜１０５Ｃの各々は、対応の配線群に含まれる幾つかの配線を介して、複数のＣ／Ｖ変換回路２７２Ａ〜２７２Ｃのうち対応のＣ／Ｖ変換回路に接続されている。以下、第１センサ１０４Ａ〜１０４Ｃの各々と同構成の一つの第１センサ１０４、配線群１０８Ａ〜１０８Ｃの各々と同構成の一つの配線群１０８、Ｃ／Ｖ変換回路１７２Ａ〜１７２Ｃの各々と同構成の一つのＣ／Ｖ変換回路１７２、について説明する。また、第２センサ１０５Ａ〜１０５Ｃの各々と同構成の一つの第２センサ１０５、配線群２０８Ａ〜２０８Ｃの各々と同構成の一つの配線群２０８、及び、Ｃ／Ｖ変換回路２７２Ａ〜２７２Ｃの各々と同構成のＣ／Ｖ変換回路２７２について説明する。
【００５９】
配線群１０８は、配線１８１〜１８３を含んでいる。配線１８１の一端は、電極１４１に接続されたパッド１５１に接続されている。この配線１８１は、回路基板１０６のグランドＧＣに接続されたグランド電位線ＧＬに接続されている。なお、配線１８１は、グランド電位線ＧＬにスイッチＳＷＧを介して接続されていてもよい。また、配線１８２の一端は、ガード電極１４２に接続されたパッド１５２に接続されており、配線１８２の他端はＣ／Ｖ変換回路１７２に接続されている。また、配線１８３の一端は、センサ電極１４３に接続されたパッド１５３に接続されており、配線１８３の他端はＣ／Ｖ変換回路１７２に接続されている。
【００６０】
配線群２０８は、配線２８１〜２８３を含んでいる。配線２８１の一端は、電極１６３に接続されている。この配線２８１は、回路基板１０６のグランドＧＣに接続されたグランド電位線ＧＬに接続されている。なお、配線２８１は、グランド電位線ＧＬにスイッチＳＷＧを介して接続されていてもよい。また、配線２８２の一端は、ガード電極１６２に接続されており、配線２８２の他端はＣ／Ｖ変換回路２７２に接続されている。また、配線２８３の一端は、センサ電極１６１に接続されており、配線２８３の他端はＣ／Ｖ変換回路２７２に接続されている。
【００６１】
高周波発振器１７１は、バッテリーといった電源１７７に接続されており、当該電源１７７からの電力を受けて高周波信号を発生するよう構成されている。なお、電源１７７は、プロセッサ１７４、記憶装置１７５、及び、通信装置１７６にも接続されている。高周波発振器１７１は、複数の出力線を有している。高周波発振器１７１は、発生した高周波信号を複数の出力線を介して、配線１８２及び配線１８３、並びに、配線２８２及び配線２８３に与えるようになっている。したがって、高周波発振器１７１は、第１センサ１０４のガード電極１４２及びセンサ電極１４３に電気的に接続されており、当該高周波発振器１７１からの高周波信号は、ガード電極１４２及びセンサ電極１４３に与えられるようになっている。また、高周波発振器１７１は、第２センサ１０５のセンサ電極１６１及びガード電極１６２に電気的に接続されており、当該高周波発振器１７１からの高周波信号は、センサ電極１６１及びガード電極１６２に与えられるようになっている。
【００６２】
Ｃ／Ｖ変換回路１７２の入力には、パッド１５２に接続された配線１８２、及び、パッド１５３に接続された配線１８３が接続されている。即ち、Ｃ／Ｖ変換回路１７２の入力には、第１センサ１０４のガード電極１４２及びセンサ電極１４３が接続されている。また、Ｃ／Ｖ変換回路２７２の入力には、センサ電極１６１及びガード電極１６２がそれぞれ接続されている。Ｃ／Ｖ変換回路１７２及びＣ／Ｖ変換回路２７２は、その入力における電位差に応じた振幅を有する電圧信号を生成し、当該電圧信号を出力するよう構成されている。Ｃ／Ｖ変換回路１７２は、対応する第１センサ１０４が形成する静電容量に応じた電圧信号を生成する。すなわち、Ｃ／Ｖ変換回路１７２に接続されたセンサ電極の静電容量が大きいほど、当該Ｃ／Ｖ変換回路１７２が出力する電圧信号の電圧の大きさは大きくなる。同様に、Ｃ／Ｖ変換回路２７２に接続されたセンサ電極の静電容量が大きいほど、当該Ｃ／Ｖ変換回路２７２が出力する電圧信号の電圧の大きさは大きくなる。
【００６３】
Ａ／Ｄ変換器１７３の入力には、Ｃ／Ｖ変換回路１７２及びＣ／Ｖ変換回路２７２の出力が接続している。また、Ａ／Ｄ変換器１７３は、プロセッサ１７４に接続している。Ａ／Ｄ変換器１７３は、プロセッサ１７４からの制御信号によって制御され、Ｃ／Ｖ変換回路１７２の出力信号（電圧信号）及びＣ／Ｖ変換回路２７２の出力信号（電圧信号）を、デジタル値に変換し、検出値としてプロセッサ１７４に出力する。
【００６４】
プロセッサ１７４には記憶装置１７５が接続されている。記憶装置１７５は、揮発性メモリといった記憶装置であり、例えば、測定データを記憶するよう構成されている。また、プロセッサ１７４には、別の記憶装置１７８が接続されている。記憶装置１７８は、不揮発性メモリといった記憶装置であり、例えば、プロセッサ１７４によって読み込まれて実行されるプログラムが記憶されている。
【００６５】
通信装置１７６は、任意の無線通信規格に準拠した通信装置である。例えば、通信装置１７６は、Ｂｌｕｅｔｏｏｔｈ（登録商標）に準拠している。通信装置１７６は、記憶装置１７５に記憶されている測定データを無線送信するように構成されている。
【００６６】
プロセッサ１７４は、上述したプログラムを実行することにより、測定器１００の各部を制御するように構成されている。例えば、プロセッサ１７４は、ガード電極１４２、センサ電極１４３、センサ電極１６１、及び、ガード電極１６２に対する高周波発振器１７１からの高周波信号の供給を制御する。また、プロセッサ１７４は、記憶装置１７５に対する電源１７７からの電力供給、通信装置１７６に対する電源１７７からの電力供給等を制御する。さらに、プロセッサ１７４は、上述したプログラムを実行することにより、Ａ／Ｄ変換器１７３から入力された検出値に基づいて、第１センサ１０４の測定値及び第２センサ１０５の測定値を取得する。一実施形態では、Ａ／Ｄ変換器１７３から出力された検出値をＸとした場合、プロセッサ１７４では、測定値が（ａ・Ｘ＋ｂ）に比例した値となるように、検出値に基づいて測定値を取得している。ここで、ａ及びｂは回路状態等によって変化する定数である。プロセッサ１７４は、例えば、測定値が（ａ・Ｘ＋ｂ）に比例した値となるような所定の演算式（関数）を有していてよい。
【００６７】
以上説明した測定器１００では、測定器１００がフォーカスリングＦＲによって囲まれた領域に配置されている状態において、複数のセンサ電極１４３及びガード電極１４２はフォーカスリングＦＲの内縁と対面する。これらセンサ電極１４３の信号とガード電極１４２の信号との電位差に基づいて生成される測定値は、複数のセンサ電極１４３それぞれとフォーカスリングＦＲとの間の距離を反映する静電容量を表している。なお、静電容量Ｃは、Ｃ＝εＳ／ｄで表される。εはセンサ電極１４３の前面１４３ｆとフォーカスリングＦＲの内縁との間の媒質の誘電率であり、Ｓはセンサ電極１４３の前面１４３ｆの面積であり、ｄはセンサ電極１４３の前面１４３ｆとフォーカスリングＦＲの内縁との間の距離と見なすことができる。
【００６８】
したがって、測定器１００によれば、被加工物Ｗを模した当該測定器１００とフォーカスリングＦＲとの相対的な位置関係を反映する測定データが得られる。例えば、測定器１００によって取得される複数の測定値は、センサ電極１４３の前面１４３ｆとフォーカスリングＦＲの内縁との間の距離が大きくなるほど、小さくなる。したがって、第１センサ１０４Ａ〜１０４Ｃの各々のセンサ電極１４３の静電容量を表す測定値に基づいて、フォーカスリングＦＲの各径方向における各センサ電極１４３のずれ量を求めることができる。そして、各径方向における第１センサ１０４Ａ〜１０４Ｃの各々のセンサ電極１４３のずれ量から、測定器１００の搬送位置の誤差を求めることができる。
【００６９】
また、測定器１００が静電チャックＥＳＣに載置されている状態では、複数のセンサ電極１６１及びガード電極１６２は静電チャックＥＳＣと対面する。上述の通り、静電容量Ｃは、Ｃ＝εＳ／ｄで表される。εはセンサ電極１６１と静電チャックＥＳＣとの間の媒質の誘電率であり、ｄはセンサ電極１６１と静電チャックＥＳＣとの間の距離であり、Ｓは平面視においてセンサ電極１６１と静電チャックＥＳＣとが互いに重なり合う面積と見なすことができる。面積Ｓは、測定器１００と静電チャックＥＳＣとの相対的な位置関係によって変化する。したがって、測定器１００によれば、被加工物Ｗを模した当該測定器１００と静電チャックＥＳＣとの相対的な位置関係を反映する測定データが得られる。
【００７０】
一例では、所定の搬送位置、すなわち静電チャックＥＳＣの中心と測定器１００の中心とが一致する静電チャックＥＳＣ上の位置に測定器１００が搬送された場合、センサ電極１６１における外縁１６１ｂと静電チャックＥＳＣのエッジとが一致してもよい。この場合、例えば、測定器１００の搬送位置が所定の搬送位置からずれることにより、センサ電極１６１が静電チャックＥＳＣに対して径方向の外側にずれたときに、面積Ｓは小さくなる。すなわち、センサ電極１６１によって測定される静電容量は、所定の搬送位置に測定器１００が搬送された場合の静電容量に比べて小さくなる。したがって、第２センサ１０５Ａ〜１０５Ｃの各々のセンサ電極１６１の静電容量を表す測定値に基づいて、静電チャックＥＳＣの各径方向における各センサ電極１６１のずれ量を求めることができる。そして、各径方向における第２センサ１０５Ａ〜１０５Ｃの各々のセンサ電極１６１のずれ量から、測定器１００の搬送位置の誤差を求めることができる。
【００７１】
続いて、温度環境の変化によって生じる静電容量の測定値の変動を抑制するための構成について説明する。まず、高周波発振器１７１と配線１８２及び配線１８３とＣ／Ｖ変換回路１７２との接続について、より詳細に説明する。図１０は、高周波発振器１７１と配線１８２及び配線１８３とＣ／Ｖ変換回路１７２との接続を示す回路図である。図１０に示すように、高周波発振器１７１と配線１８２との間には、抵抗１７１ａが接続されている。高周波発振器１７１と配線１８３との間には、可変抵抗１７１ｂ及び可変コンデンサ１７１ｃを含む位相調整回路１７１ｄが接続されている。Ｃ／Ｖ変換回路１７２は、その一部にオペアンプ及び抵抗を含む増幅回路１７２ａを有している。増幅回路１７２ａでは、オペアンプの反転入力端子に配線１８３が接続されており、オペアンプの非反転入力端子に配線１８２が接続されている。また、オペアンプの反転入力端子と出力端子とは抵抗を介して接続されている。増幅回路１７２ａは、Ｃ／Ｖ変換回路１７２に入力されたセンサ電極１４３からの信号とガード電極１４２からの信号との電位差を増幅させる。
【００７２】
高周波発振器１７１と配線２８２及び配線２８３とＣ／Ｖ変換回路２７２とは、高周波発振器１７１と配線１８２及び配線１８３とＣ／Ｖ変換回路１７２と同様に接続されている。すなわち、高周波発振器１７１と配線２８２との間には、抵抗が接続されている。高周波発振器１７１と配線２８３との間には、可変抵抗及び可変コンデンサを含む位相調整回路が接続されている。Ｃ／Ｖ変換回路２７２は、その一部にオペアンプ及び抵抗を含む増幅回路を有している。増幅回路では、オペアンプの反転入力端子に配線２８３が接続されており、オペアンプの非反転入力端子に配線２８２が接続されている。また、オペアンプの反転入力端子と出力端子とは抵抗を介して接続されている。
【００７３】
上記のような回路構成においては、位相調整回路１７１ｄの可変抵抗１７１ｂの抵抗値が変更されることにより、センサ電極１４３からの信号の振幅が変更され得る。また、位相調整回路１７１ｄの可変コンデンサ１７１ｃの静電容量値が変更されることにより、センサ電極１４３からの信号の位相が変更され得る。一つの例示的実施形態では、可変抵抗１７１ｂの抵抗値と可変コンデンサ１７１ｃの静電容量値とがプロセッサ１７４によって調整（制御）されることにより、位相調整回路１７１ｄのアドミタンスが調整されている。
【００７４】
図１０では、プロセッサ１７４に接続されたＤ／Ａコンバータ１７４ａの出力が可変抵抗１７１ｂに入力されている。プロセッサ１７４は、可変抵抗１７１ｂの抵抗値を調整するためのパラメータをデジタル信号としてＤ／Ａコンバータ１７４ａに出力する。Ｄ／Ａコンバータ１７４ａは、入力されたデジタル信号をアナログ信号に変換して、可変抵抗１７１ｂに出力する。これにより、可変抵抗１７１ｂの抵抗値は、プロセッサ１７４から出力されたデジタル信号に対応した抵抗値に制御される。
【００７５】
また、プロセッサ１７４に接続されたＤ／Ａコンバータ１７４ｂの出力は、可変コンデンサ１７１ｃに入力されている。プロセッサ１７４は、可変コンデンサ１７１ｃの静電容量値を調整するためのパラメータをデジタル信号としてＤ／Ａコンバータ１７４ｂに出力する。Ｄ／Ａコンバータ１７４ｂは、入力されたデジタル信号をアナログ信号に変換して、可変コンデンサ１７１ｃに出力する。これにより、可変コンデンサ１７１ｃの静電容量値は、プロセッサ１７４から出力されたデジタル信号に対応した静電容量値に制御される。
【００７６】
可変抵抗１７１ｂの抵抗値を調整するためのパラメータ、及び、可変コンデンサ１７１ｃの静電容量値を調整するためのパラメータは、例えば、記憶装置１７８にテーブルとして格納されていてよい。テーブルは、複数の温度のそれぞれに応じた値をパラメータとして有している。パラメータは、複数の温度のそれぞれにおいて複数のＣ／Ｖ変換回路１７２，２７２の出力電圧信号の基準点調整のために用いられる。一例として、基準点調整は、ゼロ点調整であってよい。すなわち、パラメータは、測定器１００による検出対象が存在しない状態において、Ｃ／Ｖ変換回路１７２，２７２から出力される電圧信号がゼロになるように、可変抵抗１７１ｂの抵抗値及び可変コンデンサ１７１ｃの静電容量値を調整する値であってよい。ゼロ点調整では、基準点調整を実行する際の測定器１００のセッティングを比較的容易に行うことができる。
【００７７】
一例として、記憶装置１７８は、可変抵抗１７１ｂを制御するためのテーブルを第１センサ１０４Ａ〜１０４Ｃごとに有している。記憶装置１７８は、可変抵抗１７１ｂを制御するためのテーブルを第２センサ１０５Ａ〜１０５Ｃごとに有している。各テーブルは、複数の温度ごとに各センサに対応する可変抵抗１７１ｂを制御するためのパラメータを有している。記憶装置１７８は、可変コンデンサ１７１ｃを制御するためのテーブルを第１センサ１０４Ａ〜１０４Ｃごとに有している。記憶装置１７８は、可変コンデンサ１７１ｃを制御するためのテーブルを第２センサ１０５Ａ〜１０５Ｃごとに有している。各テーブルは、複数の温度ごとに各センサに対応する可変コンデンサ１７１ｃを制御するためのパラメータを有している。
【００７８】
このようなテーブルを取得する方法の一例について説明する。なお、測定器１００の使用環境は、例えば、１０〜８０℃であり、到達真空度が１０ｍＴｏｒｒ程度の除湿された真空環境下であってよい。
【００７９】
パラメータは、測定器１００が実際に使用される際の環境下で取得される。すなわち、一例では、１０〜８０℃の温度環境下であり、且つ、到達真空度が１０ｍＴｏｒｒ程度の除湿された真空環境下であってよい。パラメータの取得にあたっては、上記環境下において、測定器１００による検出対象が存在しない状態で、Ｃ／Ｖ変換回路１７２，２７２から出力される電圧信号がゼロになるように可変抵抗１７１ｂ及び可変コンデンサ１７１ｃを調整する。測定器１００による検出対象が存在しない状態とは、例えば測定器１００から検出対象までの間に検出値がゼロとなるべき空間が形成された状態であってよい。そして、このように調整されたときの、可変抵抗１７１ｂの抵抗値及び可変コンデンサ１７１ｃの静電容量値を目的とするパラメータとして取得する。パラメータは、プロセッサ１７４から出力されたデジタル信号の値であってよい。測定器１００を１０〜８０℃に調温した状態で、それぞれの温度においてパラメータを取得することにより、テーブルを作成することができる。なお、１０℃から８０℃までの範囲において１０℃毎にパラメータを取得してもよい。例えば、１０，２０，３０，４０，５０，６０，７０，８０℃のそれぞれにおいてのみ、実際に可変抵抗１７１ｂ及び可変コンデンサ１７１ｃが調整されてもよい。この場合、パラメータが取得されていない温度帯については、取得されたパラメータに基づいて推定されてもよい。一例として、取得されたパラメータ間を線形補間することにより、パラメータが取得されていない温度帯のパラメータを決定してもよい。
【００８０】
また、上述のとおり、プロセッサ１７４では、Ａ／Ｄ変換器１７３から出力された検出値をＸとした場合、測定値が（ａ・Ｘ＋ｂ）に比例した値となるように、測定値を取得している。ａ及びｂは回路状態等によって変化する定数であり、環境温度に依存し得る。一実施形態では、Ａ／Ｄ変換器１７３から出力される検出値Ｘのそれぞれが、計算値による静電容量を示す測定値に変換されるように、Ｃ／Ｖ変換回路１７２Ａ〜１７２Ｃ及びＣ／Ｖ変換回路２７２Ａ〜２７２Ｃのそれぞれに対応して定数ａ，ｂが調整される。計算値による静電容量は、上述の静電容量Ｃを求める式によって算出され得る。
【００８１】
一つの例示的実施形態では、プロセッサ１７４によって、定数ａ，ｂが調整される。定数ａ，ｂは、例えば、記憶装置１７８にテーブルとして格納されていてよい。テーブルは、複数の温度のそれぞれに対応づけられた定数ａ，ｂを要素として有している。一例として、記憶装置１７８は、Ｃ／Ｖ変換回路１７２Ａ〜１７２Ｃ及びＣ／Ｖ変換回路２７２Ａ〜２７２Ｃのそれぞれに対応するテーブルを有している。すなわち、記憶装置１７８は、Ａ／Ｄ変換器１７３から出力される複数の測定値の温度依存性を抑制するために、複数の温度にそれぞれ対応付けられた複数の定数群を記憶している。それぞれの定数群は、Ｃ／Ｖ変換回路１７２Ａ〜１７２Ｃ及びＣ／Ｖ変換回路２７２Ａ〜２７２Ｃのそれぞれに対応する複数の定数ａ，ｂを有する。プロセッサ１７４は、環境温度に対応した定数群を選択し、選択された定数群を構成する複数の定数ａ，ｂをそれぞれ対応する関数の定数として用いる。
【００８２】
このようなテーブルを取得する方法の一例について説明する。なお、測定器１００の使用環境は、例えば、１０〜８０℃であり、到達真空度が１０ｍＴｏｒｒ程度の除湿された真空環境下であってよい。
【００８３】
定数ａ，ｂは、測定器１００が実際に使用される際の環境下で取得される。すなわち、一例では、１０〜８０℃の温度環境下であり、且つ、到達真空度が１０ｍＴｏｒｒ程度の除湿された真空環境下で定数ａ，ｂが取得される。定数ａ，ｂの取得にあたっては、まず、フォーカスリングＦＲの内側、且つ、静電チャックＥＳＣ上に測定器１００が配置される。そして、この状態で、測定器１００の位置を水平に変化させながら、測定器１００の相対的な位置と当該位置における検出値Ｘとを取得する。測定器１００の相対的な位置とは、フォーカスリングＦＲに対する第１センサ１０４Ａ〜１０４Ｃそれぞれの距離であってよい。この場合、計算値による第１センサ１０４Ａ〜１０４Ｃそれぞれの静電容量が算出され得る。また、測定器１００の相対的な位置とは、静電チャックＥＳＣに対する第２センサ１０５Ａ〜１０５Ｃの位置であってよい。この場合、平面視におけるセンサ電極１６１と静電チャックＥＳＣとが互いに重なり合う面積が算出され得る。すなわち、計算値による第２センサ１０５Ａ〜１０５Ｃそれぞれの静電容量が算出され得る。そして、取得された検出値Ｘが計算値による静電容量に近似されるように定数ａ，ｂが算出される。算出された定数ａ，ｂがテーブルを構成する要素として取得される。測定器１００を１０〜８０℃に調温した状態で、それぞれの温度において定数ａ，ｂを取得することにより、テーブルを作成することができる。
【００８４】
続いて、測定器１００の動作について説明する。図１１は、静電容量が測定される際の測定器１００の動作を示すフロー図である。該フロー図における動作は、測定器１００のプロセッサ１７４によって制御されている。一つの例示的実施形態では、事前に、搬送位置データによって特定される載置領域上の位置に、搬送装置ＴＵ２によって測定器１００が搬送される。具体的には、搬送装置ＴＵ１が、ロードロックモジュールＬＬ１及びロードロックモジュールＬＬ２のうち一方のロードロックモジュールに測定器１００を搬送する。そして、搬送装置ＴＵ２が、搬送位置データに基づいて、一方のロードロックモジュールから、プロセスモジュールＰＭ１〜ＰＭ６のうち何れかに測定器１００を搬送し、当該測定器１００を静電チャックＥＳＣの載置領域上に載置する。搬送位置データは、フォーカスリングＦＲの中心位置に測定器１００の中心軸線ＡＸ１００の位置が一致するように予め定められた座標データである。なお、測定器１００が搬送されたプロセスモジュール内は、到達真空度が１０ｍＴｏｒｒ程度の真空除湿環境に調整されてよい。また、作業者は、事前に、静電容量を測定する回数等の条件を設定しておくことができる。
【００８５】
静電容量の測定では、まず、温度センサ１７９によって周囲の温度が検出される（ステップＳＴ１）。検出された温度データは、例えば、記憶装置１７５に記憶される。次に、今回の測定が初回の測定か否かが判定される（ステップＳＴ２）。今回の測定が初回の測定であると判定された場合、ステップＳＴ１において検出された温度データに応じて、位相調整回路１７１ｄにおける可変抵抗１７１ｂの抵抗値及び可変コンデンサ１７１ｃの静電容量値が設定される（ステップＳＴ３）。すなわち、プロセッサ１７４は、記憶装置１７５から温度センサ１７９によって検出された温度データを取得する。そして、プロセッサ１７４は、記憶装置１７８に記憶された可変抵抗１７１ｂの抵抗値及び可変コンデンサ１７１ｃの静電容量値を調整するための複数のパラメータの中から、該温度データに対応するパラメータを取得する。取得したパラメータをプロセッサ１７４がデジタル信号としてＤ／Ａコンバータ１７４ａに出力することにより、可変抵抗１７１ｂの抵抗値及び可変コンデンサ１７１ｃの静電容量値が制御される。
【００８６】
ステップＳＴ２において、今回の測定が初回の測定ではないと判定された場合、一回前の測定において検出された温度と今回の測定において検出された温度とが比較される。すなわち、前回の検出温度から温度条件に変化があるかが判定される（ステップＳＴ４）。例えば、プロセッサ１７４は、記憶装置１７５から取得された前回の温度データと今回の温度データとの差分の絶対値を算出する。そして、プロセッサ１７４は、差分の絶対値を基準値と比較する。基準値は、温度変化が測定結果に影響を及ぼし得ると考えられる温度であり、例えば、１℃であってよい。差分の絶対値が、基準値以上と判定された場合、今回測定された温度データに応じて、位相調整回路１７１ｄにおける可変抵抗１７１ｂの抵抗値及び可変コンデンサ１７１ｃの静電容量値が再び設定される（ステップＳＴ３）。一方、差分の絶対値が、基準値未満と判定された場合、前回設定された位相調整回路１７１ｄにおける可変抵抗１７１ｂの抵抗値及び可変コンデンサ１７１ｃの静電容量値が引き継がれる。
【００８７】
次に、測定器１００による測定が実施される（ステップＳＴ５）。ステップＳＴ５では、Ｃ／Ｖ変換回路１７２の出力信号（電圧信号）及びＣ／Ｖ変換回路２７２の出力信号（電圧信号）が、Ａ／Ｄ変換器によってデジタル値に変換され、検出値としてプロセッサ１７４に出力される。この検出値は、温度データと紐付けられて、例えば記憶装置１７５に記憶されてもよい。
【００８８】
次に、設定された条件での測定が完了したか否かが判定される（ステップＳＴ６）。例えば、静電容量を測定する回数が条件として事前に設定されている場合には、設定された回数の測定が完了したか否かが判定される。測定が完了していない場合、再びステップＳＴ１に戻り、測定が繰り返される。測定が完了している場合、ステップＳＴ７に進む。
【００８９】
ステップＳＴ７では、Ａ／Ｄ変換器１７３から出力された検出値Ｘから静電容量を表す測定値を算出するための関数の定数が設定される。一つの例示的実施形態では、測定値が（ａ・Ｘ＋ｂ）に比例した値となるように関数が設定されている。プロセッサ１７４は、記憶装置１７８に記憶された複数の定数ａ，ｂを含むテーブルから、検出値に紐付けられた温度データに対応する定数ａ，ｂを取得する。これにより、定数ａ，ｂが設定される。
【００９０】
次に、静電容量が取得される（ステップＳＴ８）。すなわち、取得された定数ａ，ｂが反映された関数によって、検出値が静電容量を表す測定値に変換される。取得された静電容量（測定値）のデータは、各センサごとに、温度データ、検出値（デジタル値）等と紐付けられた状態で、記憶装置１７５に記憶され得る。一つの例示的実施形態においては、第１センサ１０４Ａ〜１０４Ｃによって取得されたそれぞれの静電容量に基づいて、フォーカスリングＦＲの中心位置に対する測定器１００の中心のずれ量が導出され得る。また、第２センサ１０５Ａ〜１０５Ｃによって取得されたそれぞれの静電容量に基づいて、静電チャックＥＳＣの中心位置に対する測定器１００の中心のずれ量が導出され得る。このようなずれ量は、例えば、搬送装置ＴＵ２による搬送に利用される搬送位置データの較正に利用され得る。
【００９１】
半導体製造装置においてプラズマ処理を行う場合、被加工物Ｗ、静電チャックＥＳＣ、及びフォーカスリングＦＲの互いの位置関係が重要である。そのため、被加工物Ｗが搬送される位置を示す信頼性の高いデータを取得することが求められている。一例として、被加工物Ｗと同型状を有する測定器１００を搬送することにより、搬送された測定器１００と、静電チャックＥＳＣ及びフォーカスリングＦＲとの互いの位置関係を示すデータが取得され得る。
【００９２】
測定器１００では、複数のセンサ電極と高周波発振器１７１との間に複数の位相調整回路１７１ｄが接続されている。そのため、位相調整回路１７１ｄのアドミタンスが調整されることによって、複数のＣ／Ｖ変換回路１７２から出力される電圧信号の大きさが調整され得る。しかしながら、Ｃ／Ｖ変換回路１７２から出力される電圧信号の大きさは、周囲の温度の影響によって変動する場合がある。例えば、ある温度でゼロ点調整を行ったとしても、温度が変化した場合には、Ｃ／Ｖ変換回路１７２から出力される電圧信号が大きくなる場合がある。
【００９３】
上記の測定器１００では、温度センサ１７９によって検出された温度に応じたパラメータを用いて、複数のＣ／Ｖ変換回路ごとに対応する位相調整回路１７１ｄのアドミタンスが調整される。そのため、温度変化による生じる電圧信号の大きさの変動が、抑制され得る。また、プロセッサ１７４は、複数の位相調整回路１７１ｄのそれぞれに対応するパラメータを参照するので、複数のセンサ電極間の個体差による複数の電圧信号間のばらつきを抑制することができる。
【００９４】
プロセッサ１７４は、検出値Ｘ（デジタル値）から静電容量（測定値）を算出するための関数を参照する。また、プロセッサ１７４は、関数の定数として、測定器１００の温度に対応する定数を参照する。すなわち、プロセッサ１７４は、温度センサ１７９によって検出された温度に応じた定数を用いて、複数の関数に基づいて複数の静電容量を算出する。関数の定数は、測定器１００の回路の温度状態によって変動し得る。例示的実施形態においては、プロセッサ１７４が、温度センサ１７９によって検出された温度に応じた定数を用いるため、温度による静電容量の大きさの変動が抑制され得る。
【００９５】
複数の第１センサ１０４は、ベース基板１０２のエッジに設けられている。第１センサ１０４は、ベース基板１０２を囲むフォーカスリングＦＲに対面する。この構成では、フォーカスリングＦＲと測定器１００との相対的な位置が導出され得る。
【００９６】
複数の第２センサ１０５は、ベース基板１０２の底面に設けられている。第２センサ１０５は、ベース基板１０２が載置される静電チャックＥＳＣに対面する。この構成では、静電チャックＥＳＣと測定器１００との相対的な位置が導出され得る。
【００９７】
以下、別の例示的実施形態について説明する。図１２は、処理システム５０１を例示する図である。一例の処理システム５０１は、台２ａ〜２ｄ、容器４ａ〜４ｄ、ローダモジュールＬＭ、アライナＡＮ、ロードロックモジュールＬＬ１，ＬＬ２、プロセスモジュールＰＭ１〜ＰＭ６、トランスファーモジュールＴＦ、制御部ＭＣ及び保管装置５を備えている。
【００９８】
保管装置５は、除湿された環境下で測定器１００を保管し得る。図１２に示すように、保管装置５は、密閉可能な内部空間を提供するチャンバ５ａと、チャンバ５ａにバルブを介して接続されたガス供給装置５ｂと、チャンバ５ａに接続された排気装置５ｃとを含む。一例の保管装置５は、ローダモジュールＬＭに隣接して設置されていてもよい。この場合、チャンバ５ａは、測定器１００が通過可能なゲートを介して、ローダモジュールＬＭの搬送空間に接続されていてよい。ゲートが開いた状態では、チャンバ５ａ内の空間とローダモジュールＬＭ内の搬送空間とが接続される。ゲートが閉じた状態ではチャンバ５ａ内の空間が密閉され得る。測定器１００は、チャンバ５ａのゲートが開いた状態において、搬送装置ＴＵ１によって搬送され得る。例えば、搬送装置ＴＵ１は、ローダモジュールＬＭを介して、ロードロックモジュールＬＬ１〜ＬＬ２とチャンバ５ａとの間で測定器１００を搬送し得る。
【００９９】
ガス供給装置５ｂは、水分を含まないパージガスをチャンバ５ａ内に供給し得る。パージガスは、例えば窒素ガス等の不活性ガスであってよい。排気装置５ｃは、チャンバ５ａ内のガスを外部に排気するための装置である。一例として、排気装置５ｃは、チャンバ５ａ内を所望の真空度まで減圧できる真空ポンプであってもよい。
【０１００】
例えば、ガス供給装置５ｂからパージガスがチャンバ５ａ内に供給されることによって、チャンバ５ａの内部空間が除湿環境となり得る。また、排気装置５ｃによってチャンバ５ａの内部空間が真空引きされることによって、チャンバ５ａの内部空間が除湿環境となり得る。一例として、チャンバ５ａの内部空間は、到達真空度が１０ｍＴｏｒｒ程度の真空除湿環境に調整されてよい。除湿環境とは、空間における湿度（相対湿度）が２０％以下であることをいう。なお、シリカゲル等の除湿剤をチャンバ５ａ内に配置することによって、チャンバ５ａ内の除湿環境を実現してもよい。
【０１０１】
図１３は、図１２の処理システム５０１において、測定器１００によって静電容量が測定される際の手順を示すフロー図である。図１３の例では、載置領域上の位置に測定器１００が搬送されるよりも前に、測定器１００が除湿環境下で保管される（ステップＳＴ２１）。一例では、保管装置５のチャンバ５ａ内に測定器１００が載置された状態で、チャンバ５ａ内が除湿環境とされる。このとき、チャンバ５ａ内は、除湿されたパージガス雰囲気下、真空環境下等の除湿環境下にあってよい。
【０１０２】
続いて、測定器１００は、搬送位置データによって特定される載置領域上の位置に、搬送装置ＴＵ２によって搬送される（ステップＳＴ２２）。一例においては、搬送の直前まで、測定器１００は保管装置５によって生成される除湿環境下で保管されていてよい。ステップＳＴ２２では、搬送装置ＴＵ１が、保管装置５からロードロックモジュールＬＬ１及びロードロックモジュールＬＬ２のうち一方のロードロックモジュールに測定器１００を搬送する。そして、搬送装置ＴＵ２が、搬送位置データに基づいて、一方のロードロックモジュールから、プロセスモジュールＰＭ１〜ＰＭ６のうち何れかに測定器１００を搬送し、当該測定器１００を静電チャックＥＳＣの載置領域上に載置する。搬送位置データは、フォーカスリングＦＲの中心位置に測定器１００の中心軸線ＡＸ１００の位置が一致するように予め定められた座標データである。測定器１００が搬送されたプロセスモジュール内は、到達真空度が１０ｍＴｏｒｒ程度の真空除湿環境に調整されてよい。
【０１０３】
測定器１００が保管装置５からプロセスモジュールに搬送される間、測定器１００は一時的に大気に晒され得る。測定器１００が大気に晒されている時間は、大気中の湿度が測定器１００に対して実質的に影響を与えない程度の長さとなっている。例えば、測定器１００が大気に晒されている時間は、１時間以下であってよい。
【０１０４】
続いて、測定器１００による静電容量の測定が実施される（ステップＳＴ２３）。ステップＳＴ２３は、例えば、図１１に示すステップＳＴ１〜ステップＳＴ８と同様であってよい。
【０１０５】
上述の測定器１００では、例えば可変コンデンサ１７１ｃ等の電子部品の特性が湿度の影響を受けて変動し、正確な測定値が得られないことが考えられる。例示的実施形態では、除湿真空環境下において測定器１００による測定が実施される。そのため、同様の除湿真空環境下において取得されたパラメータによって、位相調整回路１７１ｄにおける可変抵抗１７１ｂの抵抗値及び可変コンデンサ１７１ｃの静電容量値が設定されている。この場合、パラメータの取得環境と同様の湿度環境下に保管された測定器１００を用いることで、測定に与える湿度の影響が排除され得る。一例においては、測定器１００による測定が行われる前に、除湿環境下に測定器１００を保管しておくことにより、測定器１００に対する湿度の影響が排除される。湿度の影響が排除された測定器１００によって測定が行われることで、静電容量が正確に測定され得る。
【０１０６】
なお、図１２に示す処理システムでは、保管装置５がローダモジュールＬＭに隣接して設置されている例を示したが、例えば、プロセスモジュールのうちの一つを保管装置として使用してもよい。また、保管装置は、プロセスモジュールと同様に、トランスファーモジュールＴＦにゲートバルブを介して気密に接続されてもよい。保管装置がトランスファーモジュールＴＦに接続されている場合、ステップＳＴ２１の後に、除湿環境を保持したまま測定器１００を除湿真空環境下であるプロセスモジュールへ移行することができる。また、例えば、被加工物Ｗを収容する容器（ＦＯＵＰ）のうちの一つを保管装置として用いてもよい。さらに、保管装置は、処理システムから離間して配置されていてもよい。
【０１０７】
以上、種々の例示的実施形態について説明してきたが、上述した例示的実施形態に限定されることなく、様々な省略、置換、及び変更がなされてもよい。また、異なる実施形態における要素を組み合わせて他の実施形態を形成することが可能である。
【０１０８】
例えば、測定器１００の動作の説明では、ステップＳＴ７及びステップＳＴ８において定数ａ，ｂを調整する例を示したが、ステップＳＴ７，ステップＳＴ８は省略されてもよい。
【０１０９】
また、可変抵抗１７１ｂ又は可変コンデンサ１７１ｃを制御するためのテーブルを取得する方法として、測定器１００による検出対象が存在しない状態で、可変抵抗１７１ｂ及び可変コンデンサ１７１ｃを調整する例を示したが、同方法はこれに限定されない。例えば、特定の条件において各センサによって出力される検出値が既知である場合には、センサによって出力されるデジタル値が、既知の検出値に一致するように可変抵抗１７１ｂ及び可変コンデンサ１７１ｃを調整してもよい。
【０１１０】
また、上述の例では、位相調整回路１７１ｄのアドミタンスを調整するために、可変抵抗１７１ｂの抵抗値と可変コンデンサ１７１ｃの静電容量値とが制御されている。別の例では、可変抵抗１７１ｂ又は可変コンデンサ１７１ｃに流れる電流量を調整することによってアドミタンスを調整してもよい。この場合には、可変抵抗１７１ｂ及び可変コンデンサ１７１ｃに代えて、位相調整回路１７１ｄは固定抵抗及び固定コンデンサを有していてもよい。
【０１１１】
以上の説明から、本開示の種々の実施形態は、説明の目的で本明細書で説明されており、本開示の範囲及び主旨から逸脱することなく種々の変更をなし得ることが、理解されるであろう。したがって、本明細書に開示した種々の実施形態は限定することを意図しておらず、真の範囲と主旨は、添付の特許請求の範囲によって示される。
【符号の説明】
【０１１２】
１００…測定器、１０２…ベース基板、１０４…第１センサ（センサ）、１０５…第２センサ（センサ）、１７１…高周波発振器、１７１ｄ…位相調整回路、１７２，２７２…Ｃ／Ｖ変換回路、１７２ａ…増幅回路、１７３…Ａ／Ｄ変換器、１７４…プロセッサ、１７９…温度センサ、ＥＳＣ…静電チャック、ＦＲ…フォーカスリング。
【図１】
2020190539.tif 000003
【図２】
2020190539.tif 000004
【図３】
2020190539.tif 000005
【図４】
2020190539.tif 000006
【図５】
2020190539.tif 000007
【図６】
2020190539.tif 000008
【図７】
2020190539.tif 000009
【図８】
2020190539.tif 000010
【図９】
2020190539.tif 000011
【図１０】
2020190539.tif 000012
【図１１】
2020190539.tif 000013
【図１２】
2020190539.tif 000014
【図１３】
2020190539.tif 000015